(57)【要約】      （修正有）【課題】歌唱時のキー、テンポなどの歌唱調整が可能であって、上手く歌唱できるような歌唱調整を自動的に行うことが可能なカラオケシステムを提供する。【解決手段】楽曲ＩＤ、歌唱調整値及び歌唱採点値を利用者ＩＤに付帯させて歌唱履歴として利用者データベースに記憶しておく。歌唱調整値抽出手段３２が、選曲した楽曲に基づき、当該利用者データベースより選曲者本人又は他の利用者の歌唱履歴情報のうち、最も採点値が高かった時の歌唱調整値を抽出する。演奏調整手段３３が、抽出した歌唱調整値に基づいて、選曲した楽曲の演奏の際に調整して演奏させる。【選択図】図１
2015141406.tif 000002
【特許請求の範囲】
【請求項１】
採点機能を備えた複数のカラオケ端末とサーバとが通信可能に接続されたカラオケシステムであって、
歌唱したときの少なくとも楽曲ＩＤ、歌唱調整値及び歌唱採点値を利用者ＩＤに付帯させた歌唱履歴情報を含んで記憶しておく利用者データベースと、
利用者が選曲した楽曲に基づき、前記利用者データベースから選曲者本人又は他の利用者の前記歌唱履歴情報のうち、最も採点値が高かった時の歌唱調整値を抽出する歌唱調整値抽出手段と、
前記抽出した歌唱調整値に基づいて、前記選曲した楽曲の演奏の際に調整して演奏させる演奏調整手段と、
を有することを特徴とするカラオケシステム。
【発明の詳細な説明】
【技術分野】
【０００１】
本発明は、歌唱時のキー、テンポ及びミキシングアンプの調整値などの歌唱調整が可能なカラオケシステムに関する。
【背景技術】
【０００２】
近年、カラオケ装置は利用者に対して歌唱支援としての種々の機能を備えたものが一般的となっている。歌唱支援としては歌唱者に合わせたキーやテンポなどを予約時若しくは歌唱時に調整可能としていることもその一つである。利用者にとっては歌唱した楽曲で一度調整した内容を次回以降の利用に対しても再現することのニーズがある。
【０００３】
従来、カラオケルームなどに設置されたカラオケ装置で利用者が歌唱する場合に、演奏音楽や音声の音量等の調整をその都度操作しなくても自動的に調整するものが知られている。例えば、特許文献１には個人識別情報と演奏曲、及び演奏曲のキー、テンポ、演奏音量、マイク音量、エコー量などの調整値を記憶しておき、利用者から入力された個人識別情報と演奏曲に基づく調整値を読み出し、この調整値に基づいて演奏音楽や音声の音量等を出力する技術が開示されている。
【先行技術文献】
【特許文献】
【０００４】
【特許文献１】特開平１１−０５２９６６号公報
【発明の概要】
【発明が解決しようとする課題】
【０００５】
しかしながら、特許文献１などに開示されている技術では、利用者が演奏曲に合わせて歌唱するときの操作性の向上を目的としており、任意の楽曲について利用者自身が調整した調整値を登録することで、当該楽曲の前回の演奏時のセッティングを単に再現しているに過ぎず、利用者にとって上手く歌唱するのに望ましいセッティングであるかどうかは考慮されていないという問題がある。
【０００６】
そこで、本発明は上記課題に鑑みなされたもので、上手く歌唱できるような歌唱調整を自動的に行うことを可能として利用者の便に資するカラオケシステムを提供することを目的とする。
【課題を解決するための手段】
【０００７】
上記課題を解決するために、請求項１の発明では、採点機能を備えた複数のカラオケ端末とサーバとが通信可能に接続されたカラオケシステムであって、歌唱したときの少なくとも楽曲ＩＤ、歌唱調整値及び歌唱採点値を利用者ＩＤに付帯させた歌唱履歴情報を含んで記憶しておく利用者データベースと、利用者が選曲した楽曲に基づき、前記利用者データベースから選曲者本人又は他の利用者の前記歌唱履歴情報のうち、最も採点値が高かった時の歌唱調整値を抽出する歌唱調整値抽出手段と、前記抽出した歌唱調整値に基づいて、前記選曲した楽曲の演奏の際に調整して演奏させる演奏調整手段と、を有する構成とする。
【発明の効果】
【０００８】
本発明によれば、少なくとも楽曲ＩＤ、歌唱調整値及び歌唱採点値を前記利用者ＩＤに付帯させて歌唱履歴として利用者データベースに記憶しておき、選曲した楽曲に基づき、当該利用者データベースより選曲者本人又は他の利用者の歌唱履歴情報のうち、最も採点値が高かった時の歌唱調整値を抽出し、抽出した歌唱調整値に基づいて、選曲した楽曲の演奏の際に調整して演奏させる構成とすることにより、上手く歌唱できるような歌唱調整を自動的に行うことが可能となり、利用者自身、あるいは他の利用者の採点結果が良かった時の歌唱調整値に基づいて演奏音楽や音声の音量等が調整されるため、上手く歌唱できる可能性が高くなり、利用者の便に資し、満足度を向上させることができるものである。
【図面の簡単な説明】
【０００９】
【図１】本発明に係るカラオケ装置のブロック構成図である。
【図２】図１のサーバの構成説明図である。
【図３】図１における楽曲予約の説明図である。
【図４】歌唱調整に関する第１実施形態のフローチャートである。
【図５】歌唱調整に関する第２実施形態ブロック構成図である。
【図６】図５の実施形態のフローチャートである。
【図７】歌唱調整に関する第２実施形態の他の実施形態のフローチャートである。
【図８】歌唱調整に関する第３実施形態のブロック構成図である。
【図９】図８の実施形態のフローチャートである。
【図１０】歌唱調整に関する第３実施形態の他の実施形態のフローチャートである。
【発明を実施するための形態】
【００１０】
以下、本発明の実施形態を図により説明する。
図１に、本発明に係るカラオケ装置のブロック構成図を示す。図１において、カラオケ装置１１は、主要装置としてのカラオケ本体１２に、有線又は無線で外部接続されるものとして、表示部１３、ミキシングアンプ１４、マイク１５、スピーカ１６、遠隔入出力端末１７が接続される。
【００１１】
上記表示部１３は、通常の楽曲選曲表示やカラオケ演奏時の背景映像等を表示するもので、例えば液晶ディスプレイ（ＬＣＤ）、プラズマディスプレイ（ＰＤＰ）、その他種々のディスプレイを採用することができる。上記ミキシングアンプ１４は、カラオケ本体１２より送られてくる音楽演奏信号に、マイク１５からの音声信号をミキシングし、増幅してスピーカ１６より出力する。また、ミキシングアンプ１４は、マイク１５からの音声信号をスルーさせた出力端子が設けられ、当該出力端子は後述のカラオケ本体１２のＡ／Ｄ変換部（２９）に接続される。
【００１２】
上記遠隔入出力端末１７は、図示しない端末送受信部により、カラオケ本体１２に対して有線方式ないし無線方式（ＩＲ方式やブルートゥース（登録商標）機構のピコネット接続方式など）を利用してデータ授受を行うためのもので、少なくとも選曲楽曲登録手段１７Ａを適宜備える。この選曲楽曲登録手段１７Ａは楽曲を検索させ、選曲させるテーブルを備えるプログラムであり、選曲された楽曲は、後述のカラオケ本体１２における予約待ち行列（４１）に登録される。なお、選曲画面については図２（Ａ）で説明する。
【００１３】
上記カラオケ本体１２は、バス２０、中央制御部２１、ＲＯＭ２２、ＲＡＭ２３、映像表示制御手段２４、音楽演奏制御部２５、音源（シンセサイザ）２６、送受信部２７Ａ，２７Ｂ、採点手段２８、Ａ／Ｄ変換部２９、記憶部３０、利用者情報取得手段３１、歌唱調整値抽出手段３２及び演奏調整手段３３を備える。上記ＲＡＭ２３には予約待ち行列４１、利用者情報４２及び利用者歌唱調整値情報４３の記憶領域が形成され、記憶部３０には、楽曲ＤＢ５１及び映像ＤＢ５２が記憶される。なお、上記各構成について、本発明の要旨と直接関連しない要素部分であっても、従前のカラオケシステムにおいても大部分が適用可能であることを示すために、構成要素の全体を説明する。
【００１４】
上記中央制御部２１は、このシステムを統括的に処理制御する物理的なＣＰＵであり、ＲＯＭ２２に記憶されているプログラムに基づくアルゴリズム処理を行う。上記ＲＡＭ２３は、予約待ち行列４１、利用者情報４２及び利用者歌唱調整値情報４３の記憶領域が形成される他に、上記種々のプログラムを展開、実行させるための作業領域としての役割をなすもので、例えば半導体メモリで構成され、仮想的にハードディスク上に構築される場合をも含む概念である。
【００１５】
上記映像表示制御手段２４は、演奏時に、映像ＤＢ５２より抽出された背景映像及び楽曲ＤＢ５１より抽出された楽曲の歌詞データを表示部１３に出力するプログラム乃至電子回路である。上記音楽演奏制御部２５は、例えばシーケンスプログラムを備え、楽曲コードで楽曲ＤＢ５１より抽出された音符データに従って音源（シンセサイザ）２６を駆動するもので、当該音源２６の出力は演奏信号としてミキシングアンプ１４に出力される。
【００１６】
上記送受信部２７Ａは、遠隔入出力端末１７との間で有線方式ないし無線方式（ＩＲ方式やブルートゥース（登録商標）機構のピコネット接続方式など）を利用してデータ授受を行うためのもので、そのための電子回路及びプログラムである。上記送受信部２７Ｂは、カラオケ本体１２とサーバ６２とが通信ネットワーク６１を介してデータ授受を行うための物理的な通信用回路やプラットフォーム等のソフトウエアにより構成されるものである。
【００１７】
上記採点手段２８は、マイク１５からの音声信号がミキシングアンプ１４をスルーしてＡ／Ｄ変換部２９でデジタル変換された音声信号に対して楽曲データに含まれる歌唱採点するためのリファレンスデータに基づいて採点処理を行うプログラムである。具体的には、例えば特許第４２２２９１５号公報に記載されている手法を用いることができる。採点手段２８で処理された採点値は、ＲＡＭ２３の利用者情報４２に歌唱履歴として、利用者ＩＤ、楽曲ＩＤ、及び当該楽曲の演奏時におけるキー、テンポ、ミキシングアンプの音響設定状態等（後述する）に関連付けられて一旦記憶され、ログアウト時に後述のサーバ６２に通信ネットワーク６１を介して送出する。
【００１８】
上記記憶部３０に記憶されている楽曲ＤＢ５１は、楽曲毎に、音符データ、歌詞データ、歌唱採点のためのリファレンスデータなどを格納する。演奏に関して、具体的には、楽曲ＩＤ、曲名及びアーチストＩＤ（アーチスト名）が関連付けられた楽曲テーブルを有し、楽曲毎に、楽曲ＩＤで管理される所定データ形式のカラオケ楽曲の音符データ（例えば、ＭＩＤＩ（登録商標）形式の音符データ）等で構成される楽曲データ（ファイル）について楽曲コードをファイル名としてそれぞれ格納したデータベースである。上記記憶部３０に記憶されている映像ＤＢ５２は、楽曲毎に応じた背景映像データについて楽曲コードをファイル名としてそれぞれ格納したデータベースである。
【００１９】
上記利用者情報取得手段３１は、図示しないログイン手段（例えば遠隔入出力装置１７）よりログインした利用者より取得した利用者ＩＤを送受信部２７Ｂより通信ネットワーク６１を介してサーバ６２に送信し、当該サーバ６２の備える利用者データベース（ＤＢ）より該当の歌唱履歴を含む利用者情報を取得し、ＲＡＭ２３の利用者情報４２として記憶させるプログラムである。
【００２０】
上記歌唱調整値抽出手段３２は、利用者が選曲した楽曲に基づき、後述のサーバの備える利用者データベースから抽出された選曲者本人の歌唱履歴情報のうち、最も採点値が高かった時の歌唱調整値を抽出するプログラムである。上記演奏調整手段３３は、抽出した歌唱調整値に基づいて、選曲した楽曲の演奏の際にミキシングアンプ１４を、演奏音量、マイク音量、エコー量などの調整値に従って調整して演奏させるとともに、音源２６を駆動する音楽演奏制御部２５が、キー、テンポなどの調整値に従って音符情報（ピッチ）やテンポ情報を調整して出力するよう制御する電子回路ないしプログラムである。なお、歌唱調整値抽出においては他の利用者に対する場合を第３実施形態で説明する。
【００２１】
ここで、図２に、図１のサーバの構成説明図を示す。まず、図２（Ａ）において、サーバ６２は、インターネットなどの通信ネットワーク６１を介して所定数のカラオケ端末であるカラオケ装置１１（１１Ａ〜１１Ｎ）を管理し、当該各カラオケ装置１１に対する楽曲データの配信や各種データを送受する装置である。
【００２２】
サーバ６２は、図２（Ｂ）に示すように、少なくとも制御部７１、送受信部７２、利用者情報抽出手段７３、利用者情報更新手段７４及び利用者ＤＢ７５、楽曲ＤＢ７６を備える。上記制御部７１は、当該サーバ６２を統括的に制御する物理的なＣＰＵであり、図示しないＲＯＭに格納されているプログラムを実行処理して統括的な処理を行う。
【００２３】
上記送受信部７２は、各カラオケ装置１１（１１Ａ〜１１Ｎ）との通信（データ授受）を行うために、通信ネットワーク６１の通信方式と整合性をとるための例えば物理的な通信用回路やプラットフォーム等のソフトウエアにより構成される。上記利用者情報抽出手段７３は、カラオケ装置１１からの利用者ＩＤに基づく要求により利用者ＤＢ７５より歌唱履歴（歌唱調整値を含む）を含む利用者情報を抽出して当該カラオケ装置１１に送出するプログラムである。上記利用者情報更新手段７４は、カラオケ装置１１より送られてくる新たな歌唱履歴を含む利用者情報に基づいて利用者ＤＢ７５の該当情報を更新するプログラムである。
【００２４】
上記利用者ＤＢ７５は、図２（Ｃ）に示すように、利用者の属性情報と利用者ＩＤとが関連付けられた顧客情報を格納する記憶装置である。その属性情報としては、例えば、氏名、セカンドネーム、郵便番号、住所、電話、年齢、性別などの他に、図２（Ｄ）に示すように、利用日、利用時間、利用者人数、同伴者ＩＤ、歌唱楽曲ＩＤ、アーチスト名、楽曲毎の歌唱採点値、楽曲毎の歌唱調整値などが含まれる。歌唱調整値には、例えばキー、テンポ、演奏音量、マイク音量、エコー量などがある。
【００２５】
上記楽曲ＤＢ７６は、複数の楽曲データを格納する記憶装置であり、カラオケ装置１１はこれと同じ楽曲ＤＢ５１を備えるもので、サーバ６２の楽曲ＤＢ７６が更新されれば、通信ネットワーク６１を介して各カラオケ装置１１の楽曲ＤＢ５１も更新されるものである。
【００２６】
上記カラオケ装置１１の少なくとも備える歌唱調整値抽出手段３２及び演奏調整手段３３と、サーバ６２の少なくとも備える利用者ＤＢ７５とを有してカラオケシステムが構成される。
【００２７】
また、図３に、図１における楽曲予約の説明図を示す。図３（Ａ）は、遠隔入出力端末１７の楽曲選曲に際しての画面を一例として示したもので、曲名などの他にキー設定やテンポ設定を可能とすると共に、歌唱自動調整を行うか否かの設定欄が設けられている。
【００２８】
カラオケ本体１２では、送受信部２７Ａを介して遠隔入出力端末１７からの選曲信号を受信することにより、図３（Ｂ）に示すように、ＲＡＭ２３の予約待ち行列４１に楽曲ＩＤ、歌唱者（利用者ＩＤ）を順番に記憶する。この場合、楽曲の選曲時に、選曲者（歌唱者）がキーやテンポを設定すればその設定値が選曲信号に含まれるため、歌唱者調整フラグが立ち、また、歌唱自動調整を行う旨の設定がなされていればそのフラグを立たせて予約待ち行列４１に付帯される。この歌唱自動調整フラグによって、演奏調整手段３３が歌唱調整を行うか否かが決定される。
【００２９】
そこで、図４に、歌唱調整に関する第１実施形態のフローチャートを示す。なお、カラオケ装置１１に対する利用者のログインにより利用者ＩＤを取得し、当該利用者ＩＤを、利用者情報取得手段３１が送受信部２７Ｂ、通信ネットワーク６１を介してサーバ６２に送信し、当該サーバ６２の利用者情報抽出手段７３が利用者ＤＢ７５より抽出した当該利用者ＩＤの歌唱履歴を含む利用者情報を、サーバ６２より取得してＲＡＭ２３の利用者情報４２に一旦記憶しておくことを前提としている。
【００３０】
図４において、遠隔入出力装置１７より送受信部２７Ａを介して予約楽曲を取得すると、その楽曲ＩＤ、利用者ＩＤ及び設定フラグを予約待ち行列４１に登録する（ステップ１（Ｓ１））。選曲予約時の設定で歌唱自動調整が設定されていれば（Ｓ２）、歌唱調整値抽出手段３２がＲＡＭ２３の利用者情報４２の歌唱履歴に当該楽曲（楽曲ＩＤ）が存在するかを確認する（Ｓ３）。
【００３１】
予約楽曲の歌唱履歴が存在すれば（Ｓ４）、その歌唱履歴より当該楽曲の歌唱調整値のうち、当該楽曲歌唱の最高採点時の歌唱調整値を抽出する（Ｓ５）。そして、抽出した歌唱調整値をＲＡＭ２３の利用者歌唱調整値情報４３として当該楽曲ＩＤに関連付けて記憶する（Ｓ６）。なお、歌唱自動調整が設定されておらず（Ｓ２）、また、予約楽曲が歌唱履歴が存在しない（Ｓ４）場合には終了する。そして、演奏調整手段３３が、当該楽曲が演奏する際に、利用者歌唱調整値情報４３の歌唱調整値に応じてミキシングアンプ１４を調整するとともに、当該歌唱調整値に応じて音楽演奏制御部２５を制御するものである。
【００３２】
ところで、上記歌唱調整値抽出手段３２において、利用者ＤＢ７５から抽出されてＲＡＭ２３の利用者情報４２に記憶された選曲者本人の歌唱履歴情報のうち、現在の利用人数、同伴者、曜日、時間などの環境情報を特定し、これと共に利用者ＩＤ及び楽曲ＩＤに基づいて当該利用者の歌唱履歴のうち、当該環境情報と類似した環境で当該楽曲歌唱の最高採点時の歌唱調整値を抽出し、ＲＡＭ２３の利用者歌唱調整値情報４３として一旦記憶させるプログラムとしてもよい。これによって、利用者にとってより上手く歌唱できる可能性を高めることができるものである。
【００３３】
次に、図５に歌唱調整に関する第２実施形態のブロック構成図を示すと共に、図６に図５の実施形態のフローチャートを示す。第１実施形態の他の実施形態においては、図５（Ａ）に示すように、図１の歌唱調整値抽出手段３２に代えて歌唱調整値取得手段３４を設けたものである。また、図５（Ｂ）に示すように、サーバ６２において、歌唱調整値抽出手段７７を新たに設けたものである。
【００３４】
当該歌唱調整値取得手段３４は、サーバ６２の歌唱調整値抽出手段７７が利用者ＤＢ７５より抽出した歌唱調整値を取得してＲＡＭ２３に利用者歌唱調整値情報４３として一旦記憶するプログラムである。また、上記サーバ６２における歌唱調整値抽出手段７７は、ここでは、カラオケ装置１１から取得した利用者ＩＤ、楽曲ＩＤに基づく歌唱調整値の要求に対して、利用者ＤＢ７５より当該利用者の歌唱履歴より当該楽曲の歌唱調整値のうち、当該楽曲歌唱の最高採点時の歌唱調整値を抽出して当該カラオケ装置１１に送出するプログラムである。図１に示す演奏調整手段３３、図５に示す歌唱調整値抽出手段７７及び利用者ＤＢ７５によりカラオケシステムを構成する。このような構成とすることで、通信ネットワーク６１に接続されるカラオケ装置１１の負担を軽減させることができるものである。
【００３５】
そこで、図６でその処理を説明すると、図６（Ａ）において、カラオケ本体１２で、予約楽曲を遠隔入出力装置１７より取得し、楽曲ＩＤ、利用者ＩＤ及び設定フラグを予約待ち行列４２に登録し、歌唱自動調整フラグに応じて、サーバ６２にアクセスし、予約者の利用者ＩＤに基づいて予約楽曲（楽曲ＩＤ）についての歌唱履歴情報の歌唱調整値を要求する（Ｓ１１）。
【００３６】
サーバ６２では、歌唱調整値抽出手段７７が利用者ＩＤ、楽曲ＩＤを取得して利用者ＤＢ７５に対して検索を実行する（Ｓ１２）。当該利用者ＤＢ７５中の当該利用者の当該楽曲ＩＤに対する歌唱履歴が存在すれば（Ｓ１３）、歌唱履歴中の当該楽曲歌唱の最高採点時の歌唱調整値を特定する（Ｓ１４）。特定した歌唱調整値を送受信部７２、通信ネットワーク６１を介して対応のカラオケ装置１１に送出する（Ｓ１５）。
【００３７】
カラオケ装置１１では、送受信部２７Ｂを介して歌唱調整値を歌唱調整値取得手段３４が取得し、当該歌唱調整値を利用者ＩＤ、楽曲ＩＤに付帯させてＲＡＭ２３に利用者歌唱調整値情報４３として記憶する（Ｓ１６）。また、図６（Ｂ）において、上記ステップ１３において当該楽曲ＩＤについての当該楽曲の歌唱履歴が存在しない場合には、歌唱履歴が存在しない旨をカラオケ装置１１に送出するものである（Ｓ１７）。
【００３８】
次に、図７に、歌唱調整に関する第２実施形態の他の実施形態のフローチャートを示す。構成としては図５と同様であるが、ここでは、カラオケ本体１２の歌唱調整値取得手段３４が、ＲＡＭ２３の利用者情報４２より、現在の利用人数、同伴者、曜日、時間などの環境情報を、利用者ＩＤ及び楽曲ＩＤと共に提示して、サーバ６２に対して歌唱調整値を要求するプログラムとする。
【００３９】
また、サーバ６２における歌唱調整値抽出手段７７は、取得した環境情報と共に利用者ＩＤ及び楽曲ＩＤに基づいて当該利用者の歌唱履歴のうち、当該環境情報と類似した環境で当該楽曲歌唱の最高採点時の歌唱調整値を抽出し、カラオケ装置１１に送出するプログラムとする。
【００４０】
そこで、図７において、カラオケ本体１２で、予約楽曲を遠隔入出力装置１７より取得し、利用者ＩＤ、楽曲ＩＤ及び設定フラグを予約待ち行列４２に登録すると共に、歌唱自動調整フラグに応じて、サーバ６２にアクセスし、当該利用者の現在の環境情報を提示して予約楽曲（楽曲ＩＤ）について当該環境情報に類似した環境の当該利用者における歌唱履歴情報の歌唱調整値を要求する（Ｓ２１）。
【００４１】
サーバ６２では、歌唱調整値抽出手段７７が利用者ＩＤ、楽曲ＩＤと共に環境情報を取得して利用者ＤＢ７５に対して検索を実行する（Ｓ２２）。利用者ＤＢ７５中の当該利用者の当該楽曲ＩＤに対する歌唱履歴が存在すれば（Ｓ２３）、歌唱履歴中の当該環境情報に類似した中での当該楽曲の歌唱の最高採点時の歌唱調整値を特定する（Ｓ２４）。特定した歌唱調整値を送受信部７２、通信ネットワーク６１を介して対応のカラオケ装置１１に送出する（Ｓ２５）。
【００４２】
カラオケ装置１１では、送受信部２７Ｂを介して歌唱調整値を歌唱調整値取得手段３４が取得し、当該歌唱調整値を利用者ＩＤ、楽曲ＩＤに付帯させてＲＡＭ２３に利用者歌唱調整値情報４３として記憶する（Ｓ２６）。また、図７（Ｂ）において、上記ステップ２３において当該楽曲ＩＤについての当該楽曲の歌唱履歴が存在しない場合には、歌唱履歴が存在しない旨をカラオケ装置１１に送出するものである（Ｓ２７）。
【００４３】
次に、図８に歌唱調整に関する第３実施形態のブロック構成図を示すと共に、図９に図８の実施形態のフローチャートを示す。第３実施形態においては、図８（Ａ）に示すように、図１の歌唱調整値抽出手段３２に代えて歌唱調整値取得手段３４を設けると共に、ＲＡＭ２３において利用者歌唱調整値情報４３に代えて他の利用者歌唱調整値情報４４の領域を設けたものである。また、図８（Ｂ）に示すように、サーバ６２において、歌唱調整値抽出手段７７が設けられたものである。
【００４４】
当該歌唱調整値取得手段３４は、サーバ６２の歌唱調整値抽出手段７７が利用者ＤＢ７５より抽出した他の利用者の歌唱調整値を取得してＲＡＭ２３に他の利用者歌唱調整値情報４４として一旦記憶するプログラムである。また、上記サーバ６２における歌唱調整値抽出手段７７は、ここでは、カラオケ装置１１から取得した楽曲ＩＤに基づく歌唱調整値の要求に対して、利用者ＤＢ７５より当該利用者以外の他の利用者の歌唱履歴より当該楽曲の歌唱調整値のうち、当該楽曲歌唱の最高採点時の歌唱調整値を抽出して当該カラオケ装置１１に送出するプログラムとする。図１に示す演奏調整手段３３、図８に示す歌唱調整値抽出手段７７及び利用者ＤＢ７５によりカラオケシステムを構成する。
【００４５】
そこで、図９でその処理を説明すると、図９（Ａ）において、カラオケ本体１２で、予約楽曲を遠隔入出力装置１７より取得し、利用者ＩＤ、楽曲ＩＤ及び設定フラグを予約待ち行列４２に登録すると共に、歌唱自動調整フラグに応じて、サーバ６２にアクセスし、利用者ＩＤ及び予約楽曲（楽曲ＩＤ）に基づく歌唱履歴情報の歌唱調整値を要求する（Ｓ３１）。
【００４６】
サーバ６２では、歌唱調整値抽出手段７７が利用者ＩＤ及び楽曲ＩＤを取得して利用者ＤＢ７５に対して検索を実行する（Ｓ３２）。当該利用者ＤＢ７５中における当該利用者ＩＤの利用者以外の他の利用者の当該楽曲ＩＤに対する歌唱履歴が存在すれば（Ｓ３３）、その総ての歌唱履歴中の当該楽曲歌唱の最高採点時の歌唱調整値を特定する（Ｓ３４）。特定した歌唱調整値を送受信部７２、通信ネットワーク６１を介して対応のカラオケ装置１１に送出する（Ｓ３５）。
【００４７】
カラオケ装置１１では、送受信部２７Ｂを介して歌唱調整値を歌唱調整値取得手段３４が取得し、当該歌唱調整値を利用者ＩＤ及び楽曲ＩＤに付帯させてＲＡＭ２３に他の利用者歌唱調整値情報４４として記憶する（Ｓ３６）。また、図９（Ｂ）において、上記ステップ３３において当該楽曲ＩＤについての他の利用者の楽曲歌唱の履歴が存在しない場合には、歌唱履歴が存在しない旨をカラオケ装置１１に送出するものである（Ｓ３７）。
【００４８】
次に、図１０に歌唱調整に関する第３実施形態の他の実施形態のフローチャートを示す。図１０に示す処理におけるブロック構成は図８に示す構成と同様であるが、サーバ６２における歌唱調整値抽出手段７７は、ここでは、カラオケ装置１１から取得した利用者ＩＤ基づき利用者ＤＢ７５に対して当該利用者の生年月日及び性別を抽出して特定し、利用者ＤＢ７５より当該利用者以外の他の利用者の歌唱履歴より当該楽曲の歌唱調整値のうち、当該楽曲歌唱の最高採点時の歌唱調整値を抽出して当該カラオケ装置１１に送出するプログラムとする。
【００４９】
そこで、図１０（Ａ）において、カラオケ本体１２で、予約楽曲を遠隔入出力装置１７より取得し、利用者ＩＤ、楽曲ＩＤ及び設定フラグを予約待ち行列４２に登録すると共に、歌唱自動調整フラグに応じて、サーバ６２にアクセスし、利用者ＩＤ及び予約楽曲（楽曲ＩＤ）に基づく歌唱履歴情報の歌唱調整値を要求する（Ｓ４１）。
【００５０】
サーバ６２では、歌唱調整値抽出手段７７が利用者ＩＤ及び楽曲ＩＤを取得して利用者ＤＢ７５に対して検索を実行する（Ｓ４２）。歌唱調整値抽出手段７７は、まず利用者ＩＤに基づき利用者ＤＢ７５に対して当該利用者の生年月日及び性別を抽出して特定し、他の利用者の当該楽曲における歌唱調整値の検索を実行する（Ｓ４３）。
【００５１】
他の利用者の当該楽曲における歌唱調整値を検索した結果、当該利用者ＤＢ７５中における当該利用者ＩＤの利用者以外の他の利用者の当該楽曲ＩＤに対する歌唱履歴が存在すれば（Ｓ４４）、他の利用者のうち、当該利用者の年齢に近い同じ性別の利用者の中で、演奏楽曲や演奏楽曲のアーティストが類似する利用者を特定し（Ｓ４５）、特定した利用者のうち、総ての歌唱履歴中の当該楽曲の歌唱の最高採点時の歌唱調整値を特定する（Ｓ４６）。特定した歌唱調整値を送受信部７２、通信ネットワーク６１を介して対応のカラオケ装置１１に送出する（Ｓ４７）。
【００５２】
カラオケ装置１１では、送受信部２７Ｂを介して歌唱調整値を歌唱調整値取得手段３４が取得し、当該歌唱調整値を利用者ＩＤ及び楽曲ＩＤに付帯させてＲＡＭ２３に他の利用者歌唱調整値情報４４として記憶する（Ｓ４８）。また、図１０（Ｂ）において、上記ステップ４４において当該楽曲ＩＤについての他の利用者の楽曲歌唱の履歴が存在しない場合には、歌唱履歴が存在しない旨をカラオケ装置１１に送出するものである（Ｓ４９）。
【００５３】
このように、上手く歌唱できるような歌唱調整を自動的に行うことが可能となり、利用者自身、あるいは他の利用者の採点結果が良かった時の歌唱調整値に基づいて演奏音楽や音声の音量等が調整されるため、上手く歌唱できる可能性が高くなり、利用者の便に資し、満足度を向上させることができるものである。
【００５４】
また、自己の過去の歌唱調整値を選択するにあたり、現在の環境と類似する環境情報の歌唱履歴から最も点数がよかった時の歌唱調整値とすることや、また、他の利用者の歌唱調整値とする場合においても利用者と年齢が近い同じ性別の他の利用者の中での演奏楽曲や演奏楽曲のアーティストが類似する他の利用者とすることで、利用者にとってより上手く歌唱できる可能性を高めることができ、利用者の便に資し、満足度を向上させることができるものである。
【産業上の利用可能性】
【００５５】
本発明のカラオケシステムは、歌唱時の歌唱調整が可能な装置の製造産業、使用の産業に利用可能である。
【符号の説明】
【００５６】
１１            カラオケ装置
１２            カラオケ本体
１７            遠隔入出力装置
３１            利用者情報取得手段
３２，７７      歌唱調整値抽出手段
３３            演奏調整手段
４１            予約待ち行列
４２            利用者情報
４３            利用者歌唱調整値情報
４４            他の利用者歌唱調整値情報
６２            サーバ
７５            利用者データベース（ＤＢ）
【図１】
2015141406.tif 000003
【図２】
2015141406.tif 000004
【図３】
2015141406.tif 000005
【図４】
2015141406.tif 000006
【図５】
2015141406.tif 000007
【図６】
2015141406.tif 000008
【図７】
2015141406.tif 000009
【図８】
2015141406.tif 000010
【図９】
2015141406.tif 000011
【図１０】
2015141406.tif 000012